(57)【要約】【課題】フレーム側面の傾斜を抑えることにより、使用者が便座装置に円滑に乗り移ることが可能な密封式便座装置を提供する。【解決手段】便座装置１は、排泄物をフィルムに密封するフィルムユニット３０と、フィルムユニット３０を支持し、床面に載置可能な支持体４０と、支持体４０に支持されたフィルムユニット３０の上面を覆い、排泄物がフィルムユニット３０へと通過する開口５５ｃを有する便座５５と、を備える。支持体４０は、背面部４１ａと、背面部４１ａの両側にヒンジｈを介してそれぞれ接続された２つの側面部４１ｂとが、平面状に並ぶように一体的に形成された樹脂性のフレーム４１を備える。ヒンジｈは、２つの側面部４１ｂがＸ軸方向に折り曲げられて、２つの側面部４１ｂが互いに向き合うように形成され、フレーム４１は、２つの側面部４１ｂがＸ軸方向に折り曲げられた状態で固定される。【選択図】図７
2015195883.tif 000002
【特許請求の範囲】
【請求項１】
フィルムにより排泄物を密封するフィルム密封式便座装置において、
排泄物をフィルムに密封するフィルムユニットと、
前記フィルムユニットを支持し、床面に載置可能な支持体と、
前記支持体に支持された前記フィルムユニットの上面を覆い、排泄物が前記フィルムユニットへと通過する開口を有する便座部と、を備え、
前記支持体は、背面部と、前記背面部の両側にヒンジを介してそれぞれ接続された２つの側面部とが、平面状に並ぶように一体的に形成された樹脂性のフレームを備え、
前記ヒンジは、前記２つの側面部がそれぞれ前記背面部に対して略直角に同じ方向に折り曲げられて、前記２つの側面部が互いに向き合うように形成され、
前記フレームは、前記２つの側面部がそれぞれ前記背面部に対して略直角に折り曲げられた状態で固定される、
ことを特徴とするフィルム密封式便座装置。
【請求項２】
請求項１に記載のフィルム密封式便座装置において、
前記２つの側面部がそれぞれ前記背面部に対して略直角に折り曲げられることにより前記２つの側面部に挟まれて前記背面部と向き合う前面部を備え、
前記前面部の両側と前記２つの側面部とを互いに固着することにより、前記２つの側面部がそれぞれ前記背面部に対して略直角に折り曲げられた状態で前記フレームが固定される、
ことを特徴とするフィルム密封式便座装置。
【請求項３】
請求項２に記載のフィルム密封式便座装置において、
前記前面部の両側と前記２つの側面部の内側面に、互いに係合して前記前面部を位置決めする係合部を備える、
ことを特徴とするフィルム密封式便座装置。
【請求項４】
請求項３に記載のフィルム密封式便座装置において、
前記係合部は、前記前面部の両側にそれぞれ設けられた突部と、前記２つの側面部の内側面にそれぞれ設けられ前記突部が嵌り込む凹部とを備える、
ことを特徴とするフィルム密封式便座装置。
【請求項５】
請求項２ないし４の何れか一項に記載のフィルム密封式便座装置において、
前記背面部と前記前面部との間に橋架され、所定の間隔をおいて互いに向き合う少なくとも２つの梁部を備え、前記フィルムユニットは、前記２つの梁部に載置された状態で、前記２つの梁部に固定される、
ことを特徴とするフィルム密封式便座装置。
【請求項６】
請求項５に記載のフィルム密封式便座装置において、
前記２つの梁部は、それぞれ、棒状の部材からなっており、
前記背面部と前記前面部には、それぞれ、前記棒状の部材の両端が嵌め込まれる受け部が設けられている、
ことを特徴とするフィルム密封式便座装置。
【請求項７】
請求項１ないし６の何れか一項に記載のフィルム密封式便座装置において、
前記２つの側面部には、それぞれ、側面方向から２つの脚を嵌め込むための凹状に凹んだ溝部が一体的に形成され、
前記溝部に前記脚を嵌め込んで前記脚を前記側面部に装着した状態で、前記側面部を前記側面方向から覆うように化粧板が装着される、
ことを特徴とするフィルム密閉式便座装置。
【発明の詳細な説明】
【技術分野】
【０００１】
本発明は、樹脂製のフィルムにより収容物を密封するフィルム密封式便座装置に関する。
【背景技術】
【０００２】
従来、フィルム中に排泄物や汚物等を密封する密封式便座装置が知られている（たとえば、特許文献１）。この種の密封式便座装置では、排泄物や汚物等が通る通路にフィルムが配され、所定の送り機構によって、フィルムが下方に送られる。
【０００３】
排泄の際には、フィルム内に汚物が収容された状態で、フィルムの上部が溶着され、フィルム内に汚物が密封される。このとき、同時に、この溶着位置よりもやや上の位置でフィルムが溶着されて、フィルムに、次の汚物を収容するための底が形成される。また、これら２つの溶着位置の中間部分が切断されて、汚物を密封したフィルムが切り離される。
【先行技術文献】
【特許文献】
【０００４】
【特許文献１】特開２００７−１１７２８４号公報
【発明の概要】
【発明が解決しようとする課題】
【０００５】
上記構成の密封式便座装置では、排泄物をフィルムに密封する機構部を支持する支持体が用いられる。この場合、支持体を構成するフレームは、たとえば、インジェクション成形により金型を用いて製造される。一般的に、金型から成形品を円滑に取り出すためには、１°以上の抜き勾配が設けられる必要がある。上記のようにフレームがインジェクション成形により製造される場合には、この抜き勾配のため、フレームの側面が鉛直方向から傾斜する。このため、使用者がベッドから便座装置へ移乗するために、たとえば、便座装置がベッドに横づけされるような場合には、フレーム側面の傾斜によって、ベッドと便座装置の上面との間に比較的大きな隙間が生じる。この隙間に使用者の手が嵌り込むことがあり、使用者がベッドから便座装置に円滑に乗り移ることができない惧れがある。
【０００６】
上記課題に鑑み、本発明は、フレーム側面の傾斜を抑えることにより、使用者が便座装置に円滑に乗り移ることが可能な密封式便座装置を提供することを目的とする。
【課題を解決するための手段】
【０００７】
本発明の主たる態様は、フィルムにより排泄物を密封するフィルム密封式便座装置に関する。この態様に係るフィルム密封式便座装置は、排泄物をフィルムに密封するフィルムユニットと、前記フィルムユニットを支持し、床面に載置可能な支持体と、前記支持体に支持された前記フィルムユニットの上面を覆い、排泄物が前記フィルムユニットへと通過する開口を有する便座部と、を備える。前記支持体は、背面部と、前記背面部の両側にヒンジを介してそれぞれ接続された２つの側面部とが、平面状に並ぶように一体的に形成された樹脂性のフレームを備える。前記ヒンジは、前記２つの側面部がそれぞれ前記背面部に対して略直角に同じ方向に折り曲げられて、前記２つの側面部が互いに向き合うように形成される。前記フレームは、前記２つの側面部がそれぞれ前記背面部に対して略直角に折り曲げられた状態で固定される。
【０００８】
本態様に係るフィルム密封式便座装置によれば、フレームの面に垂直な方向に金型を抜くことによってフレームを形成することができる。これにより、ヒンジを介して側面部を折り曲げた状態では、フレームの側面に、抜き勾配による傾きが生じることがない。よって、フィルム密封式便座装置がベッドに横づけられるような場合に、ベッドと便座装置上面との間に大きな隙間が開くことがなく、使用者は、ベッドから便座装置に円滑に乗り移ることができる。また、ヒンジを折り曲げるといった簡単な作業によって、フレームが、支持体としての所望の形状に整えられる。このため、支持体の組み立て作業を、容易に行うことができる。
【０００９】
本態様に係るフィルム密封式便座装置は、前記２つの側面部がそれぞれ前記背面部に対して略直角に折り曲げられることにより前記２つの側面部に挟まれて前記背面部と向き合う前面部を備える構成とされ得る。この構成では、前記前面部の両側と前記２つの側面部とを互いに固着することにより、前記２つの側面部がそれぞれ前記背面部に対して略直角に折り曲げられた状態で、前記フレームが固定される。こうすると、２つの側面部の開き具合が前面部の幅によって規定される。また、前面部と２つの側面部とが互いに固着されることにより、２つの側面部の開き具合が固定される。これにより、２つの側面部が背面部に対して略垂直に折り曲げられた状態に、フレームを円滑に固定することができる。
【００１０】
この場合、前記前面部の両側と前記２つの側面部の内側面に、互いに係合して前記前面部を位置決めする係合部を設けることが望ましい。こうすると、所望の位置に円滑に前面部を取り付けることができる。
【００１１】
ここで、前記係合部は、前記前面部の両側にそれぞれ設けられた突部と、前記２つの側面部の内側面にそれぞれ設けられ前記突部が嵌り込む凹部とを備える構成とされ得る。こうすると、２つの側面部を背面部に対して折り曲げながら突部を凹部に嵌め込むことにより、前面部をフレームに取り付けることができ、同時に、前面部の位置決めを行うことができる。
【００１２】
この構成において、フィルム密封式便座装置は、前記背面部と前記前面部との間に橋架され、所定の間隔をおいて互いに向き合う少なくとも２つの梁部を備える構成とされ得る。この場合、前記フィルムユニットは、前記２つの梁部に載置された状態で、前記２つの梁部に固定される。こうすると、背面部と前面部とが梁部によって連結されるため、フレームをより強固に固定することができる。また、梁部にフィルムユニットを載せて固定するといった簡便な作業により、フィルムユニットを支持体に装着することができる。
【００１３】
この場合、前記２つの梁部は、それぞれ、棒状の部材からなっており、前記背面部と前記前面部には、それぞれ、前記棒状の部材の両端が嵌め込まれる受け部が設けられるように構成され得る。こうすると、前面部をフレームに取り付ける際に、棒状の部材を受け部に嵌め込むことにより、棒状の部材からなる梁部をフレームに取り付けることができる。よって、梁部の取り付け作業を容易に行うことができる。
【００１４】
本態様に係るフィルム密封式便座装置において、前記２つの側面部には、それぞれ、側面方向から２つの脚を嵌め込むための凹状に凹んだ溝部が一体的に形成され得る。この場合、フィルム密封式便座装置は、前記溝部に前記脚を嵌め込んで前記脚を前記側面部に装着した状態で、前記側面部を前記側面方向から覆うように化粧板が装着されるよう構成され得る。上記のように、フレームは、フレームの面に垂直な方向に金型を抜くことによって形成され得る。よって、側面部には、側面方向から２つの脚を嵌め込むための凹状に凹んだ溝部を一体的に形成することができる。このように、側面部に所望の形状および構造を一体的に持たせることができる。
【発明の効果】
【００１５】
以上のとおり、本発明によれば、フレーム側面の傾斜を抑えることにより、使用者が便座装置に円滑に乗り移ることが可能な密封式便座装置を提供することができる。
【００１６】
本発明の効果ないし意義は、以下に示す実施の形態の説明により更に明らかとなろう。ただし、以下に示す実施の形態は、あくまでも、本発明を実施化する際の一つの例示であって、本発明は、以下の実施の形態により何ら制限されるものではない。
【図面の簡単な説明】
【００１７】
【図１】実施の形態に係る構成体と、フィルム収容ガイドと、枠の構成を示す斜視図である。
【図２】実施の形態に係るフィルムユニットの構成を示す斜視図、フィルムの外観を示す模式図、および、フィルムユニットにセットされたフィルムを示す模式図である。
【図３】実施の形態に係る支持体の構成を示す分解斜視図である。
【図４】実施の形態に係るフレームの構成を示す斜視図である。
【図５】比較例に係るフレームおよびフレームの抜き勾配について説明する図である。
【図６】実施の形態に係るフレームおよびフレームの抜き勾配について説明する図である。
【図７】実施の形態に係るフィルムユニットが設置される支持体の構成を示す斜視図である。
【図８】実施の形態に係る座面枠と、背もたれと、ひじ掛けの構成を示す斜視図である。
【図９】実施の形態に係る構成体と便座の構成を示す斜視図である。
【図１０】実施の形態に係る構成体とカバーの構成を示す斜視図である。
【図１１】実施の形態に係る組み立てが終了した便座装置の構成を示す斜視図である。
【図１２】実施の形態に係るフィルム送り機構とシール機構の構成を示す斜視図である。
【図１３】実施の形態に係る排泄処理時におけるフィルムユニットの動作を説明する図である。
【図１４】実施の形態に係る排泄処理時におけるフィルムユニットの動作を説明する図である。
【図１５】実施の形態に係るベッドに横付けされた状態の便座装置の使用例を示す図である。
【発明を実施するための形態】
【００１８】
以下、本発明の実施の形態につき図面を参照して説明する。
【００１９】
以下に示す実施の形態において、便座装置１は、請求項に記載の「フィルム密封式便座装置」に相当する。凹部４１ｃは、請求項に記載の「受け部」に相当する。凹部４１ｇは、請求項に記載の「係合部」に相当する。案内溝４１ｍは、請求項に記載の「溝部」に相当する。段部４２ｈは、請求項に記載の「係合部」および「突部」に相当する。座面枠５１の水平部５１ａと便座５５は、請求項に記載の「便座部」に相当する。ただし、上記請求項と本実施の形態との対応の記載は、あくまで一例であって、請求項に係る発明を本実施の形態に限定するものではない。
【００２０】
まず、図１〜図１１を参照して、本実施の形態に係る便座装置１の構成を組み立て手順に沿って説明する。便座装置１は、主に、介護施設の個室や災害時等、トイレ設備のない場所で用いられ、排泄物を樹脂製の筒状フィルムで密封（シール）することが可能な機構を有する。なお、本実施の形態の説明において参照する図面には、便宜上、互いに直交するＸ、Ｙ、Ｚ軸が示されている。Ｘ−Ｙ平面は、水平面に平行で、Ｚ軸方向は鉛直方向である。
【００２１】
図１は、メカ構成体１０と、フィルム収容ガイド２１と、枠２２の構成を示す斜視図である。
【００２２】
メカ構成体１０は、ベース１１と、機構部１２と、ガイド１３を備えている。ベース１１には、水平面に平行な上面１１ａと、ベース１１を上下方向に貫通する開口１１ｂが設けられている。機構部１２は、ベース１１の下面側に設置されており、ベース１１に設置された回路基板（図示せず）と接続されている。ガイド１３は、上面が水平面に対して傾いた状態となるよう、ベース１１の下面側に設置されている。なお、機構部１２は、フィルム送り機構１００とシール機構２００を備えている。フィルム送り機構１００とシール機構２００の構成については、追って、図１２を参照して説明する。
【００２３】
フィルム収容ガイド２１は、平面視において、略楕円の形状を有する。フィルム収容ガイド２１には、略楕円形状の開口２１ａが形成されており、フィルム収容ガイド２１の内壁には、２つの孔２１ｂが形成されている。枠２２は、平面視において、略楕円の形状を有する。枠２２には、略楕円形状の開口２２ａが形成されており、上面部２２ｂの裏側には、下側に延びる２つの板部２２ｃが形成されている。
【００２４】
組み立て時には、まず、ベース１１の上面１１ａに、フィルム収容ガイド２１が設置される。続いて、枠２２の板部２２ｃがフィルム収容ガイド２１の孔２１ｂに嵌め込まれることにより、枠２２がフィルム収容ガイド２１に装着される。こうして、図２（ａ）に示すフィルムユニット３０が完成する。フィルムユニット３０は、フィルムユニット３０にセットされたフィルムＦを密封（シール）する機能を有する。
【００２５】
図２（ｂ）、（ｃ）は、それぞれ、フィルムＦの外観を示す模式図と、フィルムユニット３０にセットされたフィルムＦを示す模式図である。
【００２６】
フィルムＦは、樹脂製の筒状フィルムであり、筒形状の外周方向に予め折り畳まれている。フィルムユニット３０にフィルムＦがセットされる場合、枠２２がフィルム収容ガイド２１から取り外され、フィルムＦが、フィルム収容ガイド２１に上方から嵌め込まれる。その後、枠２２がフィルム収容ガイド２１に装着され、フィルムＦが枠２２の下側に位置付けられる。そして、フィルムＦの端部が上方向に引き出され、枠２２の開口２２ａとフィルム収容ガイド２１の開口２１ａに対して、下方向に通される。その後、開口２１ａ、２２ａに通されたフィルムＦの端部が、さらに、ベース１１の開口１１ｂに挿入され、機構部１２に取り付けられる。こうして、図２（ｃ）に示すように、フィルムユニット３０にフィルムＦがセットされる。
【００２７】
なお、実使用時には、図１１に示すように便座装置１が組み立てられた後に、フィルムＦのセットが行われる。すなわち、便座装置１からカバー５６と便座５５が外された状態（図９参照）で、開口５１ｄから露出するフィルムユニット３０に対して、上記のように、フィルムＦがセットされる。
【００２８】
図３（ａ）は、フレーム４１の構成を示す斜視図であり、図３（ｂ）、（ｃ）は、支持部４２およびスイッチ４３の構成を示す斜視図であり、図３（ｄ）は、脚部４４の構成を示す斜視図であり、図３（ｅ）は、化粧板４５の構成を示す斜視図である。図４は、フレーム４１の２つの側面部４１ｂが広げられたときの構成を示す斜視図である。
【００２９】
図３（ａ）を参照して、フレーム４１は、樹脂性の材料によって形成されている。フレーム４１は、ブロー成形により成形され、背面部４１ａと、２つの側面部４１ｂ、を備える。２つの側面部４１ｂは、背面部４１ａを挟むようにして、背面部４１ａと一体的に形成されている。図４に示すように、背面部４１ａのＸ軸方向の両端部は、傾斜面となっており、２つの側面部４１ｂの背面部４１ａ側の端部も、傾斜面となっている。背面部４１ａと２つの側面部４１ｂの接続部分は、ヒンジｈとなっている。ヒンジｈは、背面部４１ａと、２つの側面部４１ｂが直線上に並ぶように２つの側面部４１ｂが広げられた状態から、図３（ａ）に示すように、２つの側面部４１ｂがそれぞれ背面部４１ａに対して略直角に同じ方向に折り曲げられて、２つの側面部４１ｂが互いに向き合うように、２つの側面部４１ｂを移動させることができる。
【００３０】
図３（ａ）に戻り、背面部４１ａのＹ軸負側の面には、略方形状の２つの凹部４１ｃと、Ｘ軸方向に延びる溝４１ｄが形成されている。２つの側面部４１ｂには、それぞれ、２つの円形の孔４１ｅが形成されている。孔４１ｅは、上面側の入口に大径部が設けられ、その奥に、小径部が設けられている。小径部の径は大径部の径よりも小さい。小径部は、奥に向かうにつれて徐々に径が小さくなる傾斜面を介して大径部に繋がっている。
【００３１】
Ｘ軸正側の側面部４１ｂには、Ｘ軸負側の面にＹ軸方向に延びる溝４１ｆと、凹部４１ｇが形成されている。Ｘ軸負側の側面部４１ｂにも、Ｘ軸正側の面に同様にＹ軸方向に延びる溝と、凹部が形成されている（図示せず）。凹部４１ｇは、１つの角が欠けた長方形の形状を有する。凹部４１ｇは、長辺がＺ軸方向から前側にやや傾くように形成されている。凹部４１ｇの奥には、ネジ孔が形成されている。Ｘ軸負側の側面部４１ｂには、脚装着部４１ｈが形成されている。また、Ｘ軸正側の側面部４１ｂにも同様の脚装着部が形成されている（図示せず）。脚装着部４１ｈには、脚部４４のＺ軸方向の高さ位置を決める窪み４１ｉがＺ軸方向に所定の間隔で並ぶように形成されている。また、脚装着部４１ｈには、多数のネジ穴４１ｊが形成されている。
【００３２】
また、Ｘ軸負側の脚装着部４１ｈには、孔４１ｅのＺ軸負側に凹部４１ｋが設けられている。後述のように、孔４１ｅにひじ掛け５４の軸５４ｂ（図８（ｅ）参照）がＺ軸正側から通されると、軸５４ｂが凹部４１ｋに嵌り込む。凹部４１ｋは、Ｚ軸負側が先細りとなっている。また、凹部４１ｋのＹ軸正側の側面とＹ軸負側の側面には、それぞれ、円弧状の側面を有する突起４１ｌが、３個ずつ、互いに対向するように設けられている。孔４１ｅを介して凹部４１ｋに軸５４ｂが挿入されると、互いに対向する突起４１ｌによって軸５４ｂがＹ軸方向に挟まれる。また、後述のように脚部４４が脚装着部４１ｈに設置されることにより、軸５４ｂは、凹部４１ｋの底面（Ｘ軸正側の内側面）と脚部４４の脚連結板４４ｂによって、Ｘ軸方向に挟まれる。ひじ掛け５４の下面がＸ軸負側の側面部４１ｂの上面に僅かな隙間で対向する位置まで軸５４ｂが孔４１ｅに挿入されると、軸５４ｂの先端が凹部４１ｋのＺ軸負側の側面に当接する。Ｘ軸正側の脚装着部にも、同様に、凹部が設けられ、この凹部の内側面に突起が設けられている。
【００３３】
また、Ｘ軸負側の脚装着部４１ｈには、脚部４４の形状に沿った２つの案内溝４１ｍが形成されている。案内溝４１ｍは、後述する脚４４ａの厚みと略同じＸ軸方向の深さを有する。案内溝４１ｍのＺ軸方向の長さは、後述する脚４４ａのＺ軸方向の高さよりも大きい。案内溝４１ｍのＹ軸正側、負側の端部は、Ｚ軸方向に見て円弧形状となっている。また、案内溝４１ｍのＺ軸正側の端部は、Ｘ軸方向に見て円弧形状となっている。案内溝４１ｍには、上述の窪み４１ｉが形成されている。
【００３４】
フレーム４１は、図４に示すように、２つの側面部４１ｂがＸ軸方向に広げられた状態に対応する金型を用いてブロー成形により成形される。
【００３５】
図５（ａ）は、比較例に係るフレーム５４１がインジェクション成形により成形される場合の金型の例を示す模式図である。図５（ｂ）は、比較例に係るフレーム５４１に対する抜き勾配の影響を説明する図である。
【００３６】
フレーム５４１がインジェクション成形により成形される場合、たとえば、図５（ａ）の比較例のような金型が用いられ得る。一般的に、金型から製品を円滑に取り出すためには、１°以上の抜き勾配が設けられる必要がある。抜き勾配がない場合、金型が磨耗し、磨耗によって生じた隙間が原因でバリが発生し易くなる。図５（ａ）に示す比較例の場合、フレーム５４１の側面部５４１ａに沿って、抜き勾配が設けられる。フレーム５４１には、上述のフィルムユニット３０が収容されるため、フレーム５４１の側面部５４１ａのＺ軸方向の高さはある程度高い。したがって、比較例の場合、図５（ｂ）に示すように、フレーム５４１の下端と上端のＸ軸方向の位置のずれが大きくなり、便座装置１をベッド等に横づけした場合に、フレーム５４１の上端とベッドとの間に大きな隙間が生じる。
【００３７】
図６（ａ）は、本実施の形態に係るフレーム４１がブロー成形により成形される場合の金型の例を示す模式図である。図６（ｂ）は、本実施の形態に係るフレーム４１の抜き勾配の影響を説明する図である。
【００３８】
本実施の形態に係るフレーム４１の場合、ブロー成形により成形され、たとえば、図６（ａ）に示すような金型が用いられ得る。フレーム４１は、図４に示すように、Ｘ軸方向の直線上に並ぶように広げられており、図６（ａ）に示す金型では、背面部４１ａおよび２つの側面部４１ｂ（図４参照）の上面および下面に沿って抜き勾配が設けられている。図４に示すように、背面部４１ａおよび２つの側面部４１ｂの上面および下面のＹ軸方向の幅は、Ｚ軸方向の高さに比べて非常に短い。このため、背面部４１ａおよび２つの側面部４１ｂの上面および下面には、抜き勾配による傾きが殆ど現れない。また、図４に示すフレーム４１の外側面（Ｘ―Ｚ平面）には、抜き勾配の影響がない。このため、水平面に対して略垂直になるようフレーム４１の背面部４１ａと２つの側面部４１ｂを形成することができる。したがって、図６（ｂ）に示すように、略隙間なく、ベッド等に便座装置１を隣接させることができる。なお、図６（ｂ）では、図３（ａ）に示すように、２つの側面部４１ｂがＸ軸方向において互いに向き合うように折り曲げられている。
【００３９】
図３（ｂ）、（ｃ）を参照して、支持部４２は、底板４２ａと、前面部４２ｂと、２つの梁部４２ｃ、２つの受け部４２ｄとを備える。底板４２ａのＸ軸方向の幅は、フレーム４１の２つの側面部４１ｂの間の幅よりも僅かに小さい。底板４２ａには、上下方向に貫通する開口４２ｅが形成されている。前面部４２ｂは、Ｚ軸方向に見て円弧形状となっている。前面部４２ｂの上端は、下端よりもややＹ軸負側に位置付けられている。すなわち、前面部４２ｂは、Ｚ軸正方向から前側に所定の角度で傾いている。前面部４２ｂのＺ軸方向の高さは、フレーム４１の側面部４１ｂのＺ軸方向の高さよりも低い。前面部４２ｂの内側面の中央には、凹部４２ｆが形成されており、凹部４２ｆには、Ｙ軸方向に貫通する開口４２ｇが形成されている。
【００４０】
２つの梁部４２ｃは、それぞれ、Ｙ軸方向に延びる中空の棒状の部材からなっている。２つの受け部４２ｄは、それぞれ、梁部４２ｃの形状よりもやや大きい形状の凹部からなっている。図３（ｂ）、（ｃ）では、２つの梁部４２ｃがそれぞれ、受け部４２ｄに嵌め込まれた状態が示されている。
【００４１】
スイッチ４３は、フィルムユニット３０の動作させるための入力部である。スイッチ４３は、操作面を押し込むことで操作が検出されるプッシュ型スイッチからなっている。スイッチ４３の操作部のＸ軸方向およびＹ軸方向の幅は、開口４２ｇよりも小さい。スイッチ４３は、先端の操作部が開口４２ｇに通され、スイッチ４３の後部に接続された回路基板（図示せず）が凹部４２ｆに嵌め込まれる。このとき、スイッチ４３の操作部の表面（操作面）は、前面部４２ｂの表面よりも僅かにＹ軸正側に位置付けられている。また、前面部４２ｂのＸ軸正側、負側の側面には、それぞれ、フレーム４１の凹部４１ｇと係合する段部４２ｈが形成されている。段部４２ｈには、それぞれ、隅にネジ孔が形成されている。
【００４２】
図３（ｄ）を参照して、脚部４４は、４本の脚４４ａと、Ｘ軸負側の２本の脚４４ａ、および、Ｘ軸正側の２本の脚４４ａを、それぞれ、連結する２つの脚連結板４４ｂを備える。脚４４ａと脚連結板４４ｂは、ネジ４４ｃによって固定されている。脚４４ａの裏面には、それぞれ、２つの凸部４４ｄが形成されている。
【００４３】
図３（ｅ）を参照して、化粧板４５は、略長方形の薄板の形状を有する。化粧板４５には、複数のネジ孔が形成されている。
【００４４】
組み立て時には、まず、２つの側面部４１ｂをやや外側に広げた状態で、底板４２ａのＹ軸正側の端部がフレーム４１の溝４１ｄに嵌め込まれ、同時に、梁部４２ｃのＹ軸負側の端部がフレーム４１の凹部４１ｃに嵌め込まれる。この状態で、Ｘ軸正側の側面部４１ｂがＸ軸負側に閉じられる。これにより、Ｘ軸正側の側面部４１ｂの溝４１ｆに底板４２ａのＸ軸正側の端部が嵌り、また、Ｘ軸正側の側面部４１ｂの凹部４１ｇに前面部４２ｂのＸ軸正側の段部４２ｈに嵌まる。同様にして、Ｘ軸負側の側面部４１ｂの溝に底板４２ａのＸ軸負側の端部が嵌め込まれ、Ｘ軸負側の側面部４１ｂの凹部に前面部４２ｂのＸ軸負側の段部４２ｈが嵌め込まれる。この状態で、段部４２ｈに形成されたネジ孔を介して脚装着部４１ｈに形成されたネジ穴にネジが螺着される。これにより、支持部４２がフレーム４１に装着される。
【００４５】
このように、フレーム４１は、２つの側面部４１ｂが背面部４１ａに対して略直角に折り曲げられた状態で固定される。この状態で、２つの側面部４１ｂは、互いに向き合っている。また、前面部４２ｂと背面部４１ａは、互いに向き合っている。
【００４６】
フレーム４１は、背面部４１ａと２つの側面部４１ｂの接続部分がヒンジｈとなっているため、使用者は、２つの側面部４１ｂを容易に広げたり、狭めたりすることができる。また、背面部４１ａには、溝４１ｄが、側面部４１ｂには、溝４１ｆおよび凹部４１ｇが設けられているため、底板４２ａ、前面部４２ｂの位置決めをする必要がなく、使用者は、容易に支持部４２をフレーム４１に装着することができる。
【００４７】
次に、脚４４ａの裏面に形成された凸部４４ｄがフレーム４１の脚装着部４１ｈに設けられた窪み４１ｉに嵌め込まれ、脚部４４のＺ軸方向の高さ位置が決められる。そして、脚連結板４４ｂに設けられたネジ孔４４ｅを介して、脚装着部４１ｈに設けられたネジ穴４１ｊにネジが螺着される。これにより、脚部４４がフレーム４１に固定される。脚部４４がフレーム４１の脚装着部４１ｈに装着された状態で化粧板４５が側面部４１ｂにネジにより固定される。こうして、図７に示す支持体４０が完成する。
【００４８】
図７は、支持体４０の構成を示す斜視図である。
【００４９】
図７に示すように、フレーム４１と、円弧状に湾曲した前面部４２ｂによって底板４２ａが支えられ、さらに、フレーム４１が脚４４ａによって支えられることにより、開口４２ｅの下側に大きなスペースが生じる。これにより、このスペースに、後述のようにして密封されたフィルムＦを回収するための箱等を設置することができる。
【００５０】
組み立て時には、フィルムユニット３０が凹部４０ａに嵌め込まれるように、フィルムユニット３０が支持体４０に設置される。フィルムユニット３０は、ベース１１の左右の側縁部が、それぞれ、２つの梁部４２ｃに載置されネジ留めされる。そして、スイッチ４３の回路基板と、フィルムユニット３０の回路基板とが電気的に接続される。
【００５１】
フレーム４１と前面部４２ｂは、２つの梁部４２ｃより接続されているため、フィルムユニット３０の荷重による負荷が分散される。これにより、支持体４０の耐久性を高めることができる。
【００５２】
図８（ａ）は、座面枠５１の構成を示す斜視図であり、図８（ｂ）、（ｃ）は、背もたれ５２の構成を示す斜視図であり、図８（ｄ）、（ｅ）は、それぞれ、ひじ掛け５３、５４の構成を示す斜視図である。
【００５３】
図８（ａ）を参照して、座面枠５１は、水平面に平行な水平部５１ａと、Ｘ―Ｙ平面に略垂直な背面部５１ｂを有している。背面部５１ｂの上端は、角が面取りされており、丸みを帯びた形状を有している。また、背面部５１ｂの上端の裏面は、背面部５１ｂの背面から上部がＹ軸負側に傾くように傾斜している。こうして、背面部５１ｂの上部は、先細りの形状となっている。
【００５４】
水平部５１ａには、水平部５１ａの上面よりも一段低い凹部５１ｃが形成されており、凹部５１ｃには、水平部５１ａを上下方向に貫通する略楕円形状の開口５１ｄが形成されている。また、水平部５１ａの上面には、円形の凹部５１ｅが２つ形成されている。また、凹部５１ｃの上面には、略円形に窪んだ係合部５１ｆが２つ形成されている。背面部５１ｂには、背面部５１ｂをＹ軸方向に貫通する開口５１ｇが形成されている。
【００５５】
図８（ｂ）を参照して、背もたれ５２は、クッション性のある材質で形成されている。背もたれ５２は、座面枠５１の開口５１ｇよりも大きい。背もたれ５２には、鍔部５２ａが形成されている。鍔部５２ａの下面には、図８（ｃ）に示すように、背面部５１ｂの上端が嵌り込む凹部５２ｂが形成されている。背面部５１ｂの上端を凹部５２ｂに嵌め込むようにして、背もたれ５２を背面部５１ｂに掛ける。背もたれ５２の下端は、Ｘ軸方向に見て円弧形状となっており、水平部５１ａと背面部５１ｂとの境界付近は、背もたれ５２の下端の形状と対応するように、Ｘ軸方向に見て円弧形状となっている。
【００５６】
図８（ｄ）を参照して、ひじ掛け５３は、平板５３ａと２本の軸５３ｂを有している。軸５３ｂは、円柱形状を有し、平板５３ａの下面から下方向に突出している。軸５３ｂの径は、フレーム４１の側面部４１ｂに設けられた孔４１ｅ（図４参照）の小径部の径よりも僅かに小さい。平板５３ａのＸ軸正側とＸ軸負側の面の上部には、それぞれ、Ｙ軸方向に見て円弧形状の凹部５３ｃが形成されている。図８（ｅ）を参照して、ひじ掛け５４は、ひじ掛け５３と同様の構成となっており、平板５４ａと、２本の軸５４ｂと、凹部５４ｃを有している。
【００５７】
組み立て時には、図７に示すようにフィルムユニット３０が支持体４０に嵌め込まれた後、座面枠５１が支持体４０の上部に設置される。続いて、座面枠５１の背面部５１ｂの上端に鍔部５２ａが掛けられることにより、背もたれ５２が座面枠５１に設置される。そして、側面部４１ｂの孔４１ｅに軸５３ｂが通されることにより、ひじ掛け５３が支持体４０に設置され、側面部４１ｂの孔４１ｅに軸５４ｂが通されることにより、ひじ掛け５４が支持体４０に設置される。こうして、図９に示す構成体６０が完成する。
【００５８】
図９は、構成体６０と便座５５の構成を示す斜視図である。なお、図９では、便宜上、フィルムユニット３０の図示が省略されている。
【００５９】
図９を参照して、この状態で背もたれ５２は、ひじ掛け５３、５４に挟まれており、Ｘ軸方向の移動が抑制されている。また、背もたれ５２の凹部５２ｂは、背面部５１ｂの上端に嵌り込んでいるため、前側に倒れ込むことが抑制されている。このように、背もたれ５２は、Ｚ軸方向に容易に取り外し可能であり、且つ、Ｘ軸方向、およびＹ軸方向に移動しないように便座装置１に装着されている。
【００６０】
便座５５は、水平面に平行な水平部５５ａを有し、水平部５５ａのＹ軸正側の端部に、下方向に延びる鍔部５５ｂが形成されている。水平部５５ａには、略中央に便座５５を上下方向に貫通する開口５５ｃが形成されている。開口５５ｃは、Ｙ軸正側が狭く、Ｙ軸負側に向かうに従って広がった略涙型の形状を有する。開口５５ｃのＹ軸正側の端部には、Ｙ軸負側に後退した拡張部５５ｄが延設されている。便座５５のＺ軸負側の面の、Ｙ軸負側の隅には、それぞれ、座面枠５１の係合部５１ｆと係合する凸部が形成されている（図示せず）。
【００６１】
組み立て時には、座面枠５１の凹部５１ｃに対して便座５５が嵌め込まれるように、便座５５が座面枠５１に設置される。これにより、座面枠５１の係合部５１ｆに便座５５の凸部（図示せず）が係合し、便座５５のＹ軸方向へのずれが抑制される。こうして、図１０に示す構成体７０が完成する。
【００６２】
図１０は、構成体７０とカバー５６と座面インサート板５７の構成を示す斜視図である。なお、図１０では、便宜上、フィルムユニット３０の図示が省略されている。
【００６３】
図１０を参照して、カバー５６は、クッション性のある材質で形成されている。カバー５６は、水平面に平行な水平部５６ａを有し、水平部５６ａのＹ軸負側の端部に、下方向に延びる鍔部５６ｂが形成されている。また、カバー５６の裏面には、座面枠５１の２つの凹部５１ｅに対応する位置に、それぞれ、円形の突起（図示せず）が形成されている。
【００６４】
組み立て時には、カバー５６の裏面に形成された突起５６ｃ（図示せず）を座面枠５１の凹部５１ｅに嵌め込むようにして、座面枠５１の水平部５１ａと便座５５にカバー５６が載置される。カバー５６裏面の突起５６ｃ（図示せず）が座面枠５１の凹部５１ｅに嵌り込むことにより、カバー５６のＹ軸方向のずれが抑制される。こうして、図１１に示す便座装置１が完成し、便座装置１の組み立てが終了となる。
【００６５】
図１１は、組み立てが終了した便座装置１の構成を示す斜視図である。
【００６６】
図１１に示す便座装置１では、便座５５の上にカバー５６が載置されているため、使用者がカバー５６の上面に着座して、図１１に示す便座装置１を椅子として使用することも可能である。
【００６７】
使用者が排泄を行う場合、使用者または作業者によりカバー５６が取り外され、図１１に示す便座装置１が、図１０に示す構成体７０とされる。この状態で、使用者が便座５５の上に着座し排泄を行う。排泄の後、スイッチ４３が押されると、フィルムユニット３０が作動し、後述のように、排泄物を収容したフィルムＦに対してシーリングが行われる。
【００６８】
次に、図１２〜図１４（ｂ）を参照して、フィルムユニット３０のフィルム送り機構１００とシール機構２００の構成について説明する。
【００６９】
図１２は、フィルム送り機構１００とシール機構２００の構成を示す斜視図である。
【００７０】
図１２を参照して、フィルム送り機構１００は、モータ１０１と、シャフト１０２と、４つのローラ１０３と、多数のギアを含む機構部を備えている。また、シール機構２００は、モータ２０１と、シャフト２０２と、２つのシャフト２１１と、２つのバネ２１２と、加熱機構２２０と、圧着機構２３０と、引き剥がし機構２４０と、多数のギアを含む機構部を備えている。
【００７１】
モータ１０１の駆動力は、多数のギアを介して、Ｘ軸負側の２つのローラ１０３に伝えられる。これら２つのローラ１０３は、互いに接する部分が共に下方向に向かうように回転される。すなわち、２つのローラ１０３は、回転方向が互いに反対となるように駆動される。また、モータ１０１の駆動力は、シャフト１０２と多数のギアを介して、Ｘ軸正側の２つのローラ１０３に伝えられる。したがって、モータ１０１が駆動されると、Ｘ軸正側の２つのローラ１０３も駆動される。なお、Ｘ軸正側の２つのローラ１０３の構成は、Ｘ軸負側の２つのローラ１０３の構成と同様である。
【００７２】
互いに接する２つのローラ１０３の間には、フィルムＦの端縁が挟み込まれる。したがって、モータ１０１の駆動力によってローラ１０３が回転されると、Ｘ軸正側の２つのローラ１０３とＸ軸負側の２つのローラ１０３により、フィルムＦが下方向（Ｚ軸負方向）に送られる。
【００７３】
モータ２０１の駆動力は、シャフト２０２と多数のギアを介して、圧着機構２３０のラック２３１ａに伝えられる。ラック２３１ａは、圧着機構２３０のベース２３１に設けられ、ベース２３１は、２つのシャフト２１１によってＹ軸方向に移動可能に支持されている。したがって、モータ２０１が駆動されると、ベース２３１がＹ軸方向に移動される。ベース２３１には、圧着部２３２（図１３（ａ）参照）が設けられている。圧着部２３２は、加熱機構２２０のヒータ２２１（図１３（ａ）参照）と対向し、その表面にフィルムＦを切断するための突条部２３２ａ（図１３（ａ）参照）を備えている（図示せず）。圧着部２３２は、弾性を有し、熱耐性の高い材料から構成されている。突条部２３２ａは、圧着部２３２よりも硬く、Ｘ軸方向に延びるように設けられている。
【００７４】
加熱機構２２０は、ヒータ２２１（図１３（ａ）参照）を備える。ヒータ２２１（図１３（ａ）参照）は、結晶化ガラス等の基材の上に、平面視において蛇行形状の発熱部が設けられた構成となっている。ヒータ２２１（図１３（ａ）参照）の発熱部は、電流を印加することにより発熱し、フィルムＦの下底を形成するための熱圧着と、フィルムＦの切断と、フィルムＦの上部を密封するための熱圧着に用いられる。ヒータ２２１（図１３（ａ）参照）のＹ軸負側の面には、後述するフィルムＦの溶着と切断時にフィルムＦが剥がれ易くなるよう、フッ素加工が施されたテープが貼付される。
【００７５】
引き剥がし機構２４０は、ベース２４１と、ベース２４１のＹ軸負側の面に設置されたゴム２４２（図１３（ａ）参照）とを備えている。ベース２４１は、シャフト２１１によってＹ軸方向に移動可能に支持されている。ベース２４１は、バネ２１２によってＹ軸負方向に付勢され、ストッパー（図示せず）によってＹ軸負側の面が規制されている。したがって、ベース２４１は、バネ２１２の付勢に抗して、所定の範囲だけ、Ｙ軸方向に移動可能である。図１２には、Ｘ軸負側のバネ２１２付近の構成のみが示されているが、Ｘ軸正側のバネ２１２付近の構成もＸ軸負側のバネ２１２付近の構成と同様である。
【００７６】
引き剥がし機構２４０のベース２４１には、Ｙ軸方向に貫通する開口が形成されている。加熱機構２２０のヒータ２２１（図１３（ａ）参照）は、ベース２４１の開口を介して、Ｙ軸負側が開放された状態となっている。これにより、圧着機構２３０がＹ軸正方向に移動されたとき、圧着機構２３０の圧着部２３２（図１３（ａ）参照）と加熱機構２２０のヒータ２２１（図１３（ａ）参照）が当接するようになる。
【００７７】
引き剥がし機構２４０のベース２４１には、ヒータ２２１に対して上側および下側の位置に、それぞれ、Ｙ軸負方向に突出するＵ字状の羽根部２４１ａが形成されている。羽根部２４１ａは、圧着機構２３０のベース２３１がＹ軸負方向に送られることにより、２組のローラ１０３により送られたフィルムＦを束ねてＸ軸方向の広がりを抑制するためのものである。
【００７８】
図１３（ａ）〜図１４（ｂ）は、排泄処理時におけるフィルムユニット３０の動作を説明する図である。図１３（ａ）〜図１４（ｂ）は、フィルムユニット３０をＹ−Ｚ平面に平行な面で切断した断面図である。破線は、Ｘ軸正側の２つのローラ１０３に挟まれた状態のフィルムＦを示している。
【００７９】
図１３（ａ）に示すように、シール動作前の状態では、フィルムＦは、２組のローラ１０３に挟まれており、フィルムＦの底は、ヒータ２２１周辺の高さの位置に位置付けられている。なお、フィルムＦの底は、初期セットアップ時または前回のシール動作時において、密着されている。この状態で、排泄物等がフィルムＦに収容される。
【００８０】
排泄物等がフィルムＦに収容され、その後、シール動作が開始されると、モータ１０１（図１２参照）が駆動され、２組のローラ１０３によりフィルムＦが下方向（Ｚ軸負方向）に送られる。これにより、図１３（ｂ）に示す状態となる。なお、シール動作は、たとえば、排泄後に作業者または使用者がスイッチ４３を介して排泄終了の指示を入力することにより開始される。
【００８１】
ローラ１０３によりフィルムＦが下方向に送られた後、モータ２０１（図１２参照）が駆動され、圧着機構２３０がＹ軸正方向に送られる。これにより、フィルムＦは、引き剥がし機構２４０の羽根部２４１ａによりＸ軸方向の広がりが抑制されながら、Ｙ軸正方向に寄せられる。さらに、圧着部２３２がＹ軸正方向に送られると、圧着部２３２はフィルムＦを介してゴム２４２に当接し、シャフト２１１に配されたバネ２１２の付勢に抗して、引き剥がし機構２４０をＹ軸正方向に押し出す。そして、さらに圧着部２３２がＹ軸正方向に送られると、図１４（ａ）に示すように、圧着部２３２とヒータ２２１が、フィルムＦを介して密着する。
【００８２】
この状態で、ヒータ２２１が駆動され、フィルムＦが溶融される。このとき、ヒータ２２１の上側領域の熱により、次に排泄物等を収容するためのフィルムＦの下底が形成され、ヒータ２２１の下側領域の熱により、排泄物等が収容されたフィルムＦの上部が密封される。さらに、ヒータ２２１の中央部分、すなわち、圧着部２３２の突条部２３２ａによってフィルムＦが押し付けられる部分の熱により、フィルムＦが切断される。
【００８３】
フィルムＦの密封と切断が完了すると、圧着機構２３０がＹ軸負方向に戻される。これにより、圧着部２３２がヒータ２２１とゴム２４２から離れ、引き剥がし機構２４０が、シャフト２１１に配されたバネ２１２により所定幅だけＹ軸負方向に送られる。このとき、圧着部２３２とヒータ２２１により密着されたフィルムＦは、引き剥がし機構２４０により、ヒータ２２１の位置から所定幅だけＹ軸負側に寄せられる。これにより、ヒータ２２１にフィルムＦが貼り付いているような場合でも、フィルムＦがヒータ２２１から引き剥がされる。また、このとき、ローラ１０３によりフィルムＦが上方向に僅かに送られるため、さらに確実にフィルムＦがヒータ２２１から引き剥がされる。こうして、図１４（ｂ）に示すように、密封されたフィルムＦは支持体４０の開口４２ｅ（図７参照）を通って落下する。
【００８４】
排泄処理時の動作が完了すると、フィルムユニット３０は、図１３（ａ）に示す状態に戻る。なお、密封されたフィルムＦが落下する位置に、密封されたフィルムＦを回収するための箱等を設置することにより、作業者は容易に密封されたフィルムＦを回収することができる。
【００８５】
＜実施の形態の効果＞
本実施の形態によれば、以下の効果が奏され得る。
【００８６】
図１５は、ベッドに横付けされた状態の便座装置の使用例を示す図である。
【００８７】
図１５を参照して、便座装置１のＸ軸正側がベッドＢに横付けされる場合、Ｘ軸正側のひじ掛け５３が取り外される。これにより、ベッドＢの上面Ｂａから便座５５への移乗経路が確保され、使用者は、Ｘ軸負側のひじ掛け５４の上部を持って体を支えながら、この移乗経路に沿ってベッドから便座５５へと体を移すことができる。このとき、予め、ベッドＢの上面Ｂａの高さとフレーム４１の側面部４１ｂの上面の高さが略同じとなるように、脚４４ａの組み付け位置を調節しておくことにより、使用者は、ベッドから便座５５へと容易に臀部をずらすことができる。
【００８８】
図４に示すように、フレーム４１は、背面部４１ａと２つの側面部４１ｂが直線状に展開可能なように形成されているため、上記のように、フレーム４１の側面（Ｘ−Ｚ平面）に垂直な方向に金型を抜くことによってフレーム４１を形成することができる。このため、図３（ａ）に示すようにヒンジｈを介して側面部４１ｂを折り曲げた状態では、フレーム４１の側面部４１ｂに抜き勾配による傾きが生じることがない。したがって、図１５に示すように、便座装置１がベッドに横づけられるような場合に、ベッドと便座装置１上面との間に大きな隙間が開くことがなく、使用者は、ベッドから便座装置１に円滑に乗り移ることができる。
【００８９】
また、ヒンジｈを折り曲げるといった簡単な作業によって、フレーム４１が、支持体４０としてのＵの字の形状に整えられる。このため、支持体４０の組み立て作業を、容易に行うことができる。
【００９０】
なお、図１５に示すように、本実施の形態では、ひじ掛け５３、５４を便座装置本体の左右の側面部４１ｂから取り外すと、便座装置本体の上面、すなわち、２つの側面部４１ｂの上面と、座面枠５１の水平部５１ａの上面と、便座５５の上面が、略一つの平面となるよう構成され得る。図６（ａ）、（ｂ）を参照して説明したように、側面部４１ｂの上面のＸ軸方向の幅は狭いため、側面部４１ｂの上面には抜き勾配の影響による傾きが殆ど現れず、側面部４１ｂの上面は、水平面（Ｘ−Ｙ平面）に略平行である。このように、便座装置本体の上面を起伏のない略一つの平面に構成することにより、使用者が臀部をベッドから便座５５にスライドさせる際に、臀部が便座装置本体の上面の起伏に引っ掛かることがない。よって、使用者は、臀部をスライドさせながら、ベッドから便座装置１へと円滑に移乗することができる。
【００９１】
また、図７に示すように、前面部４２ｂが２つの側面部４１ｂに挟まれて固着されているため、２つの側面部４１ｂの開き具合が固定される。これにより、２つの側面部４１ｂが背面部４１ａに対して略垂直に折り曲げられた状態に、フレーム４１を円滑に固定することができる。
【００９２】
また、図３（ａ）に示すように、２つの側面部４１ｂには、凹部４１ｇが設けられており、図３（ｂ）に示すように、前面部４２ｂには、段部４２ｈが設けられているため、２つの側面部４１ｂを背面部４１ａに対して折り曲げながら段部４２ｈを凹部４１ｇに嵌め込むことにより、前面部４２ｂをフレーム４１に取り付けることができ、同時に、前面部４２ｂの位置決めを行うことができる。
【００９３】
また、図７に示すように、フィルムユニット３０は、２つの梁部４２ｃに載置された状態で、２つの梁部４２ｃに固定される。これにより、背面部４１ａと前面部４２ｂとが梁部４２ｃによって連結されるため、フレーム４１を所望の形状により強固に固定することができる。また、２つの梁部４２ｃにフィルムユニット３０を載せて固定するといった簡便な作業により、フィルムユニット３０を支持体４０に装着することができる。
【００９４】
また、図３（ａ）に示すように、背面部４１ａには、凹部４１ｃが設けられ、図３（ｃ）に示すように、前面部４２ｂには、受け部４２ｄが設けられている。したがって、前面部４２ｂをフレーム４１に取り付ける際に、凹部４１ｃと受け部４２ｄに、棒状の２つの梁部４２ｃの両端を嵌め込むことにより、棒状の部材からなる梁部４２ｃをフレーム４１に取り付けることができる。よって、梁部４２ｃの取り付け作業を容易に行うことができる。
【００９５】
また、図３（ａ）に示すように、側面部４１ｂには、案内溝４１ｍが形成されており、図７に示すように脚４４ａが側面部４１ｂに装着された状態で、化粧板４５が側面部４１ｂに装着されている。上述のように、フレーム４１は、フレーム４１の側面に垂直な方向に金型を抜くことによって形成され得る。よって、図３（ａ）に示すように、側面部４１ｂには、側面方向から２つの脚４４ａを嵌め込むための凹状に凹んだ案内溝４１ｍを一体的に形成することができ、さらには、ひじ掛け５３、５４の軸５３ｂ、５４ｂを通すための凹部４１ｋを一体的に形成することができる。このように、側面部４１ｂに所望の形状を一体的に持たせることができる。
【００９６】
＜変更例＞
以上、本発明の実施の形態について説明したが、本発明は、上記実施の形態に何ら制限されるものではなく、本発明の構成例も他に種々の変更が可能である。
【００９７】
たとえば、上記実施の形態では、支持体４０は、フレーム４１と前面部４２ｂが別個の部材により構成されたが、フレーム４１と支持部４２が一体的に形成されていても良い。この場合、フレーム４１の背面部４１ａと、２つの側面部４１ｂと、前面部が直線状に展開可能なように構成される。
【００９８】
また、上記実施の形態では、側面部４１ｂに凹部４１ｇが形成され、前面部４２ｂの両端に段部４２ｈが形成されたが、側面部４１ｂ側に突部が設けられ、前面部４２ｂの両端に凹部が設けられても良い。この他、側面部４１ｂと前面部４２ｂの係合部の形状、位置、大きさ等は、適宜変更され得る。
【００９９】
また、上記実施の形態では、梁部４２ｃが２つ形成されたが、梁部４２ｃの形状、配置位置、大きさ等は、適宜変更され得る。たとえば、梁部４２ｃの数は、１つであっても良く、または、３つ以上であっても良い。ただし、梁部４２ｃの数が１つの場合は、支持体４０に対するフィルムユニット３０の装着手段を別途設ける必要がある。
【０１００】
また、上記実施の形態では、一つの側面部４１ｂに対して、２つの案内溝４１ｍが形成され、２つの脚４４ａが装着されたが、脚４４ａと、対応する案内溝４１ｍの数、位置、形状等は、適宜変更され得る。
【０１０１】
また、上記実施の形態では、フレーム４１の背面部４１ａと、２つの側面部４１ｂは、一体的に形成されたが、背面部４１ａと、２つの側面部４１ｂは、それぞれ、別体として構成されても良い。こうすると、上記実施の形態に比べ、一つ一つの型を小さく抑えることができる。また、背面部４１ａの幅を変えた複数種類の背面部を提供する場合、側面部４１ｂの型を１つで流用することができる。なお、この場合、背面部４１ａと、２つの側面部４１ｂを組み立てるために、ネジ留めの作業等が必要となるため、作業工程を簡略化するためには、上記実施の形態のように、背面部４１ａと２つの側面部４１ｂが一体的に形成された方が望ましい。
【０１０２】
また、上記実施の形態では、水平部５１ａと背面部５１ｂが座面枠５１に一体的に設けられたが、これらが別体であっても良く、たとえば、背面部５１ｂを構成する部材が、支持体４０に取り付けられても良く、支持体４０に一体的に設けられても良い。
【０１０３】
また、上記実施の形態では、便座５５が座面枠５１の水平部５１ａに装着されることにより座面部が構成されたが、座面部の構成形態はこれに限られない。たとえば、予め、座面枠５１に便座５５が一体的に設けられていても良い。
【０１０４】
また、上記実施の形態では、背面部５１ｂに背もたれ５２が着脱可能に装着されたが、背もたれ５２が省略されても良い。この場合、少なくとも背面部５１ｂの前面は、クッション性に富んだ材料で覆うことが望ましい。
【０１０５】
この他、本発明の実施の形態は、特許請求の範囲に示された技術的思想の範囲内において、適宜、種々の変更が可能である。
【符号の説明】
【０１０６】
１  …  便座装置（フィルム密封式便座装置）
３０  …  フィルムユニット
４０  …  支持体
４１  …  フレーム
４１ａ  …  背面部
４１ｂ  …  側面部
４１ｃ  …  凹部（受け部）
４１ｇ  …  凹部（係合部）
４１ｍ  …  案内溝（溝部）
４２ｂ  …  前面部
４２ｃ  梁部
４２ｄ  受け部
４２ｈ  …  段部（係合部、突部）
４５  …  化粧板
５１  …  座面枠
５１ａ  …  水平部（便座部）
５５  …  便座（便座部）
５５ｃ  …  開口
Ｆ  …  フィルム
ｈ  …  ヒンジ
【図１】
2015195883.tif 000003
【図２】
2015195883.tif 000004
【図３】
2015195883.tif 000005
【図４】
2015195883.tif 000006
【図５】
2015195883.tif 000007
【図６】
2015195883.tif 000008
【図７】
2015195883.tif 000009
【図８】
2015195883.tif 000010
【図９】
2015195883.tif 000011
【図１０】
2015195883.tif 000012
【図１１】
2015195883.tif 000013
【図１２】
2015195883.tif 000014
【図１３】
2015195883.tif 000015
【図１４】
2015195883.tif 000016
【図１５】
2015195883.tif 000017